(57)【特許請求の範囲】
【請求項１】
縦方向又は横方向に隣接して設置される方形の壁パネルであって、
壁パネルの表面に形成される縦方向又は横方向の断面略V字形状の目地は、
略同一形状の矩形の区画を形成し、各区画において凸部が形成され、
前記目地は、
隣接する壁パネル同士が規定位置に設置されたとき、及び、所定距離以内で相対的にズレて設置されたときには、壁パネル同士の接合部を跨いで前記目地の中心線を通す、目地の中心線間のズレ幅が前記所定距離以内となる通し目地を少なくとも一つ形成し、
隣接する一方の壁パネルが他方の壁パネルに対し相対的に一の方向へ前記所定距離よりも大きくズレて設置されたときには、壁パネル同士の接合部を跨いで前記目地の中心線を通す、目地の中心線間のズレ幅が前記所定距離以内となる通し目地を少なくとも一つ形成し、
隣接する壁パネル同士が前記規定位置に設置されたとき、及び、前記所定距離以内で相対的にズレて設置されたとき、及び、
隣接する一方の壁パネルが他方の壁パネルに対し相対的に一の方向へ前記所定距離よりも大きくズレて設置されたとき、
のいずれにおいても、
壁パネル同士の接合部を跨いで前記目地の中心線を通さない非通し目地部分を少なくとも一つ形成するように構成され、
前記所定距離は、前記接合部に隣接する前記目地の幅の１／４以上、１／２以下である、壁パネル。
【請求項２】
縦方向又は横方向に隣接して設置される方形の壁パネルであって、
壁パネルの表面に形成される縦方向又は横方向の断面略V字形状の目地は、
略同一形状の矩形の区画を形成し、各区画において凸部が形成され、
前記目地は、
隣接する壁パネル同士が規定位置に設置されたとき、及び、所定距離以内で相対的にズレて設置されたときには、壁パネル同士の接合部を跨いで前記目地の中心線を通す、目地の中心線間のズレ幅が前記所定距離以内となる通し目地を少なくとも一つ形成し、
隣接する一方の壁パネルが他方の壁パネルに対し相対的に一の方向へ前記所定距離よりも大きくズレて設置されたときには、壁パネル同士の接合部を跨いで前記目地の中心線を通す、目地の中心線間のズレ幅が前記所定距離以内となる通し目地を少なくとも一つ形成し、
隣接する壁パネル同士が前記規定位置から他の方向へ前記所定距離よりも大きくレて設置されたときには、壁パネル同士の接合部を跨いで前記目地の中心線を通す、目地の中心線間のズレ幅が前記所定距離以内となる通し目地を少なくとも一つ形成し、
隣接する壁パネル同士が前記規定位置に設置されたとき、及び、前記所定距離以内で相対的にズレて設置されたとき、及び、
隣接する一方の壁パネルが他方の壁パネルに対し相対的に一の方向へ前記所定距離よりも大きくズレて設置されたとき、及び、
隣接する一方の壁パネルが他方の壁パネルに対し相対的に他の方向へ所定距離よりも大きくズレて設置されたとき、
のいずれにおいても、
壁パネル同士の接合部を跨いで前記目地の中心線を通さない非通し目地部分を形成するように構成され、
前記所定距離は、壁パネルの接合部に隣接する前記目地の幅の１／４以上、１／２以下である、壁パネル。
【請求項３】
壁パネルの柄模様中において、縦方向、及び／又は、横方向に横断する横断通し目地が形成され、
前記横断通し目地の箇所において、前記横断通し目地と直交する前記通し目地と、前記非通し目地部分が形成される、
ことを特徴とする請求項１又は請求項２に記載の壁パネル。
【発明の詳細な説明】
【技術分野】
【０００１】
本発明は、住宅などの建物の外装や内装の美観を向上させるための技術に関するものであり、より詳しくは、外装や内装の壁を構成する壁パネルの構造に関する。
【背景技術】
【０００２】
従来、住宅などの建物の外装（外壁）や内装（室内壁、通路壁など）において、板状（パネル状）の壁パネルを並設することで、外装や内装の壁を構成することが行われている。隣り合う壁パネルは接合され、外観において連続した一連の壁表面が形成される。
【０００３】
特許文献１では、上下左右に隣り合う壁パネル同士の接合部において、幅広目地と幅細目地を隣り合わせることで、クランク状（階段状）のラインの発生が防止され、視覚的に目地ズレに方向性がある印象を与え難くし、接合部の目地ズレを目立たなくする技術が開示がされている。
【先行技術文献】
【特許文献】
【０００４】
【特許文献１】特開２０１３−１６７０７５号公報
【発明の概要】
【発明が解決しようとする課題】
【０００５】
特許文献１に開示される技術では、幅広目地について幅を広く確保することが前提であるため、目地の幅が広い柄模様を有する壁パネルにおいて好適に適用できるものである。
【０００６】
しかしながら、例えば、目地底を設けない断面Ｖ字形の目地など、幅の狭い目地にて柄模様を構成する壁パネルについては、特許文献１に開示される技術では適用が困難なものとなる。
【０００７】
他方、幅の狭い目地の柄模様を有する壁パネルを用いる場合にも、接合部を目立たなくする（目立ち難くする）ことにより、継ぎ目のない（目立たない）連続した壁面意匠を構成することが要求される。接合部（継ぎ目）が目立つと、美観上問題となり、施工上の不具合としてクレームとなる可能性もあるためである。
【０００８】
この点、接合部において全く「通し目地部分」が構成されず、全てが「非通し目地部分」（クランク状ライン）を形成してしまう場合には、接合部が顕著に目立ってしまうことになる。特に、柄模様中に、「通し目地部分」と「非通し目地部分」が混在している場合には、接合部において、全ての箇所で「通し目地部分」、或いは、全ての箇所で「非通し目地部分」となると、接合部が目立ちやすいものとなってしまう。
【０００９】
また、接合部において「通し目地部分」を発現させる設計としていた場合であっても、製造交差や施工誤差により、施工後に「通し目地部分」が発現しなくなる可能性があることも想定する必要がある。
【００１０】
そこで、本発明は、以上の問題に鑑み、隣り合う壁パネルの接合部をより目立ち難くするための新規な技術を提案するものである。
【課題を解決するための手段】
【００１１】
本発明の解決しようとする課題は以上の如くであり、次にこの課題を解決するための手段を説明する。
【００１２】
即ち、請求項１に記載のごとく、
縦方向又は横方向に隣接して設置される方形の壁パネルであって、
壁パネルの表面に形成される縦方向又は横方向の断面略V字形状の目地は、
略同一形状の矩形の区画を形成し、各区画において凸部が形成され、
前記目地は、
隣接する壁パネル同士が規定位置に設置されたとき、及び、所定距離以内で相対的にズレて設置されたときには、壁パネル同士の接合部を跨いで前記目地の中心線を通す、目地の中心線間のズレ幅が前記所定距離以内となる通し目地を少なくとも一つ形成し、
隣接する一方の壁パネルが他方の壁パネルに対し相対的に一の方向へ前記所定距離よりも大きくズレて設置されたときには、壁パネル同士の接合部を跨いで前記目地の中心線を通す、目地の中心線間のズレ幅が前記所定距離以内となる通し目地を少なくとも一つ形成し、
隣接する壁パネル同士が前記規定位置に設置されたとき、及び、前記所定距離以内で相対的にズレて設置されたとき、及び、
隣接する一方の壁パネルが他方の壁パネルに対し相対的に一の方向へ前記所定距離よりも大きくズレて設置されたとき、
のいずれにおいても、
壁パネル同士の接合部を跨いで前記目地の中心線を通さない非通し目地部分を少なくとも一つ形成するように構成され、
前記所定距離は、前記接合部に隣接する前記目地の幅の１／４以上、１／２以下である、壁パネルとする。
【００１３】
また、請求項２に記載のごとく、
縦方向又は横方向に隣接して設置される方形の壁パネルであって、
壁パネルの表面に形成される縦方向又は横方向の断面略V字形状の目地は、
略同一形状の矩形の区画を形成し、各区画において凸部が形成され、
前記目地は、
隣接する壁パネル同士が規定位置に設置されたとき、及び、所定距離以内で相対的にズレて設置されたときには、壁パネル同士の接合部を跨いで前記目地の中心線を通す、目地の中心線間のズレ幅が前記所定距離以内となる通し目地を少なくとも一つ形成し、
隣接する一方の壁パネルが他方の壁パネルに対し相対的に一の方向へ前記所定距離よりも大きくズレて設置されたときには、壁パネル同士の接合部を跨いで前記目地の中心線を通す、目地の中心線間のズレ幅が前記所定距離以内となる通し目地を少なくとも一つ形成し、
隣接する壁パネル同士が前記規定位置から他の方向へ前記所定距離よりも大きくズレて設置されたときには、壁パネル同士の接合部を跨いで前記目地の中心線を通す、目地の中心線間のズレ幅が前記所定距離以内となる通し目地を少なくとも一つ形成し、
隣接する壁パネル同士が前記規定位置に設置されたとき、及び、前記所定距離以内で相対的にズレて設置されたとき、及び、
隣接する一方の壁パネルが他方の壁パネルに対し相対的に一の方向へ前記所定距離よりも大きくズレて設置されたとき、及び、
隣接する一方の壁パネルが他方の壁パネルに対し相対的に他の方向へ所定距離よりも大きくズレて設置されたとき、
のいずれにおいても、
壁パネル同士の接合部を跨いで前記目地の中心線を通さない非通し目地部分を形成するように構成され、
前記所定距離は、壁パネルの接合部に隣接する前記目地の幅の１／４以上、１／２以下である、壁パネルとする。
【００１４】
また、請求項３に記載のごとく、
壁パネルの柄模様中において、縦方向、及び／又は、横方向に横断する横断通し目地が形成され、
前記横断通し目地の箇所において、前記横断通し目地と直交する前記通し目地と、前記非通し目地部分が形成されることとする。
【発明の効果】
【００１５】
本発明の効果として、以下に示すような効果を奏する。
【００１６】
即ち、請求項１に記載の発明においては、一方の壁パネルが所定距離Ｋよりも大きく一の方向にズレた場合においても、ズレがない場合と同様に、接合部において通し目地と非通し目地部分の二種類の部位を複数個所に発現させることができ、接合部を目立ち難くすることができる。
【００１７】
また、請求項２に記載の発明においては、一方の壁パネルが所定距離よりも大きく一の方向、或いは、他の方向のいずれの方向にズレた場合においても、ズレがない場合と同様に、接合部において通し目地と非通し目地部分の二種類の部位を複数個所に発現させることができ、接合部を目立ち難くすることができる。
【００１８】
また、請求項３に記載の発明においては、接合部以外の横断通し目地の箇所においても、接合部と同様に通し目地と非通し目地部分の二種類の部位を発現させることができる。そして、壁パネル１の柄模様中に接合部と同様の部位が発現することにより、接合部への視線の集中をより効果的に防止できる。
【図面の簡単な説明】
【００１９】
【図１】本発明を適用する壁パネルの一実施例を示す図。
【図２】（Ａ）は一実施例に係る柄模様の拡大図。（Ｂ）は略フラットな凸表面を有する凸部について示す図。（Ｃ）は傾斜した凸表面を有する凸部について示す図。（Ｄ）は傾斜した凸表面を有する凸部について示す図。（Ｅ）は傾斜した凸表面を有する凸部について示す図。（Ｆ）は傾斜した凸表面を有する凸部について示す図。（Ｇ）は斫り表面を有する凸部について示す図。
【図３】（Ａ）は上下に隣り合う壁パネルの接合部（水平接合部）における目地の配置の概要について示す図。（Ｂ）は完全通し目地について説明する図。（Ｃ）は不完全通し目地について説明する図。（Ｄ）は非通し目地部分について説明する図。
【図４】（Ａ）は上下に隣り合う壁パネルが規定位置に施工された場合について示す図。（Ｂ）は上側の壁パネルが所定距離よりも大きいズレ幅にて一方向（右側）にズレた状態で施工された場合について示す図。（Ｃ）は上側の壁パネルが所定距離よりも大きいズレ幅にて他の方向（左側）にズレた状態で施工された場合について示す図。
【図５】壁パネルの柄模様の一例について示す図。
【図６】（Ａ）は左右に隣り合う壁パネルが規定位置に施工された場合について示す図。（Ｂ）は左側の壁パネルが所定距離よりも大きいズレ幅にて一方向（上側）にズレた状態で施工された場合について示す図。（Ｃ）は左側の壁パネルが所定距離よりも大きいズレ幅にて他の方向（下側）にズレた状態で施工された場合について示す図。
【発明を実施するための形態】
【００２０】
次に、発明の実施の形態について図面を用いて説明する。
図１は、本発明を適用する壁パネル１Ａの一実施例を示すものであり、方形の板状材（建築板）として構成されており、その縁を構成する四辺をそれぞれ、上縁１０、下縁２０、右縁３０、左縁４０とする。各縁には合決部（裏実、表実）や、切りっ放し端面などが構成され、シーリングレスによる接合が可能に構成される。
【００２１】
壁パネル１Ａの表面には、硬化前の基板をプレス成形や、切削による目地の形成などにより、凹凸面が形成される。図１の例では、断面略Ｖ字状の目地３にて矩形の区画が形成され、各区画において凸部５が構成されている。また、図１の例の壁パネル１Ａは、横幅３０３０ｍｍ、縦幅４５５ｍｍの長方形状のパネルとし、その表面に、横×縦にて１２０個×１８個の区画が構成されることとしている。
【００２２】
なお、壁パネル１Ａの素材については特に限定されるものではなく、窯業系の建築板（窯業系サイディング）、金属系の建築板（金属系サイディング）など、各種の建築板について本発明は適用できるものである。
【００２３】
図２（Ａ）は、柄模様の拡大図であり、複数種類の各凸部５（ブリック）を縦横に配置してなる柄模様が構成される。凸部５は、例えば、図２（Ｂ）に示される略フラットな凸表面５０ａ（施工状態で垂直面を構成するもの）を有するものや、図２（Ｃ）〜（Ｆ）に示されるように、上下左右の一辺が低くなる傾斜角度をつけた凸表面５０ｂ，５０ｃ・・を有するもの（なお、傾斜方向はこの４つの例に特に限定しない）が使用される。
【００２４】
また、各凸部５の間には、横方向と縦方向の目地３が存在し、凸部５と目地底３１の間には、図２（Ｂ）〜（Ｆ）に示されるように、凸部５の凸表面５０ａ，５０ｂ・・・から目地底３１にかけて傾斜する側面部５１〜５４が構成される。
【００２５】
さらに、凸部５の一部は、図２（Ｇ）に示すように、表面が斫られた（はつられた）後のような、ランダムな凹凸にて複雑な表面を構成する斫り表面５０ｍ（はつり表面）を有するもので構成される。
【００２６】
以上のように、本実施例では、各凸部５において、様々な角度の凸表面５０ａ，５０ｂ・・・が構成されることで、様々な濃度の影が生まれ、色味に変化のある高い意匠性が確保される。また、斫り表面５０ｍが配置されることで、光を受ける面に不規則性が生まれ、より複雑な陰影感が発揮される。また、塗装においては、スプレー塗装やフローコーター塗装により全体を濃い色味で塗った後、ツートンのトップ面の部分を明るい色でロールコーター塗装することで、更なる陰影感を表現できる。
【００２７】
図３（Ａ）は、上下に隣り合う上側の壁パネル１Ａの下縁２０と、下側の壁パネル１Ｃの上縁１０の接合部Ｓ（水平接合部）における目地３の配置の概要について示す部分拡大図である。
【００２８】
図３（Ａ）に示すように、上側の壁パネル１Ａには、横方向に横通し目地３Ｙが形成されており、横通し目地３Ｙと下縁２０の間に最下列５Ｄの凸部５が配列されている。各凸部５の間には縦方向の目地３が配置されている。
【００２９】
同様に、下側の壁パネル１Ｃには、横方向に横通し目地３Ｙが形成されており、横通し目地３Ｙと上縁１０の間に最上列５Ｕの凸部５が配列されている。各凸部５の間には縦方向の目地３が配置されている。
【００３０】
なお、上下の壁パネル１Ａ，１Ｃは全体として同一の柄模様を有するものであり、上側の壁パネル１Ａの最上部には最上列５Ｕが構成され、下側の壁パネル１Ｃの最下部には最下列５Ｄが構成されるものである。
【００３１】
図３（Ａ）は、上下の壁パネル１Ａ，１Ｃが規定位置において、ずれのない状態で施工された場合を示すものであり、上下の壁パネル１Ａ，１Ｃを跨いで目地３，３が連続的に繋がる通し目地３Ｔが複数個所に発現する。
【００３２】
ここで、通し目地３Ｔが構成される、即ち、上下の目地３，３が通る状況は、図３（Ｂ）に示すように、一方の目地３の中心線３ｃと他方の目地３の中心線３ｃが完全に一致する状況であり、このように構成される通し目地３Ｔを「完全通し目地」とする。なお、図３（Ｂ）においては、指示線Ｘ１、Ｘ２における断面が右側に示されている。
【００３３】
また、この「完全通し目地」の他に、図３（Ｃ）に示すように、一方の目地３の中心線３ｃと他方の目地３の中心線３ｃの間にズレ幅Ｚの横方向のズレが発生する場合において、ズレ幅Ｚが所定距離Ｋ以下である場合にも、通し目地３Ｔが構成されることとする。
【００３４】
このように、一方の目地底３１と他方の目地底３１の位置が完全に一致しない状況においても通し目地３Ｔが構成されるものとし、このように構成される通し目地３Ｔを、「不完全通し目地」とする。
【００３５】
ここで、所定距離Ｋは、目地幅Ｗの半分以下とされることが好ましい。換言すれば、目地幅Ｗは所定距離Ｋの２倍以上とされることが好ましい。また、目地幅Ｗと所定距離Ｋの大小関係については、例えば、目地幅Ｗが所定距離Ｋの２倍以上４倍以下、２倍以上３倍以下、２倍以上２．５倍以下、などとすることが考えられる。
【００３６】
また、所定距離Ｋは、製造交差や施工誤差を基準に設定されるものであり、例えば、０ｍｍ〜４ｍｍなど、壁パネルの柄模様、目地幅、目地深さによって決定される。また、目地幅は例えば４．６ｍｍとし、目地深さは４ｍｍとすることが考えられる。
【００３７】
また、壁パネルが規定位置から僅かにずれて施工された場合であっても、図３（Ｃ）に示されるような不完全通し目地が構成される、つまりは、ズレ幅Ｚが所定距離Ｋ以下である限りは、外観上通し目地として認識させることが可能となる。換言すれば、ズレ幅Ｚが所定距離Ｋ以下である、つまりは、ズレ幅Ｚが小さい場合には、目地幅Ｗによってこのズレを吸収するようにして、通し目地３Ｔを発現させることができる。
【００３８】
他方、図３（Ｄ）に示すように、一方の目地３の中心線３ｃと他方の目地３の中心線３ｃの間にズレ幅Ｚの横方向のズレが発生する場合において、ズレ幅Ｚが所定距離Ｋよりも大きい場合には、通し目地が形成されず、非通し目地部分３Ｈが構成される。
【００３９】
以上のように、本実施例において、通し目地３Ｔは、図３（Ｂ）（Ｃ）のように、「完全通し目地」、又は、「不完全通し目地」の二種類にて定義され、図３（Ｄ）の状況では、通し目地が形成されないものと定義される。
【００４０】
そして、図３（Ａ）に示すように、接合部Ｓにおいては、図３（Ｂ）（Ｃ）の状態に対応する通し目地３Ｔが発現するとともに、図３（Ｄ）の状態に対応する非通し目地部分３Ｈも発現する。
【００４１】
図３（Ａ）は、壁パネル１Ａ，１Ｃがそれぞれ規定位置に施工された場合を示しており、接合部Ｓにおいて、通し目地３Ｔと非通し目地部分３Ｈの二種類の部位が複数個所に発現することで、二種類のうちのいずれか一方への視線の集中が防止され、焦点を定まり難くすることが可能となり、ひいては接合部Ｓを目立ち難くなる。
【００４２】
また、仮に図３（Ａ）の状態において施工のズレが生じていたとしても、図３（Ｃ）に示すように、ズレ幅Ｚが所定距離Ｋ以下であれば、不完全通し目地によって通し目地３Ｔを形成することができるため、図３（Ａ）の接合部Ｓを目立ち難くすることができる。つまり、ズレ幅Ｚが所定距離Ｋ以下であれば、接合部Ｓを目立ち難くすることができる。また、壁パネルの膨張や収縮によるズレが発生した際への対応もできる。
【００４３】
次に施工状態における通し目地の発現について説明する。
図４（Ａ）は、上下に隣り合う壁パネル１Ａ，１Ｃがそれぞれ規定位置に施工された場合について示すものである。
また、図４（Ｂ）は、上側の壁パネル１Ａが所定距離Ｋよりも大きいズレ幅Ｘ１にて一方向（右側）にズレた状態で施工された場合について示す例である。
【００４４】
図４（Ｂ）の状態において、本実施例の壁パネル１Ａ，１Ｃにでは、接合部Ｓにおいて、通し目地３Ｔと非通し目地部分３Ｈの二種類の部位が複数個所に発現するようになっている。
【００４５】
具体的には、図４（Ｂ）の例では、規定位置に施工された場合の図４（Ａ）において通し目地３Ｔであったものの一部がズレによって非通し目地部分３Ｈに変わり、非通し目地部分３Ｈであったものの一部が新たに通し目地３Ｔとなっていることが示されている。
【００４６】
なお、この図４（Ｂ）の例に限らず、図４（Ａ）で発現する一部の通し目地３Ｔを維持したまま（例えば、「完全通し目地」が「不完全通し目地」に変わる）、新たな通し目地３Ｔが発現する場合も考えられる。また、図４（Ａ）において非通し目地部分３Ｈであるものが、図４（Ｂ）のようにずれた場合でもそのまま非通し目地部分３Ｈとして残る場合もある。
【００４７】
以上のように、図４（Ｂ）に示すように一方の壁パネル１（Ａ）が所定距離Ｋよりも大きく一の方向（右側）にズレた場合においても、ズレがない場合（図４（Ａ））と同様に、接合部Ｓにおいて通し目地３Ｔと非通し目地部分３Ｈの二種類の部位を複数個所に発現させることができ、接合部Ｓを目立ち難くすることができる。
【００４８】
次に、図４（Ｃ）は、上側の壁パネル１Ａが所定距離Ｋよりも大きいズレ幅Ｘ２にて他の方向（左側）にズレた状態で施工された場合について示す例である。
【００４９】
このような場合にも、本実施例の壁パネル１Ａ，１Ｃにおいては、接合部Ｓにおいて、通し目地３Ｔと非通し目地部分３Ｈの二種類の部位が複数個所に発現するようになっている。
【００５０】
以上のように、図４（Ｃ）に示すように一方の壁パネル１（Ａ）が他の方向（左側）に所定距離Ｋよりも大きくズレた場合においても、ズレがない場合（図４（Ａ））と同様に、接合部Ｓにおいて通し目地３Ｔと非通し目地部分３Ｈの二種類の部位を複数個所に発現させることができ、接合部Ｓを目立ち難くすることができる。
【００５１】
また、以上の実施例では、図４（Ａ）〜（Ｃ）を参照し、上側の壁パネル１Ａが横方向（左右方向）にズレた場合の例を用いて説明したが、このズレは下側の壁パネル１Ｃとの相対的な位置関係を意味するものであり、下側の壁パネル１Ｃがズレた場合も同様の結果となる。
【００５２】
また、以上に説明した実施例は、図５に示すように、壁パネル１Ａの柄模様中において、壁パネル１Ａを横方向に横断する横断通し目地３Ｙにおいて、通し目地３Ｔと非通し目地部分３Ｈが形成されるものについて、好適に適用することができる。
【００５３】
これによれば、接合部Ｓとは異なる横断通し目地３Ｙの部位においても、接合部Ｓと同様に通し目地３Ｔと非通し目地部分３Ｈの二種類の部位を発現させることができる。そして、壁パネル１の柄模様中に接合部Ｓと同様の部位が発現することにより、接合部Ｓへの視線の集中をより効果的に防止できる。
【００５４】
なお、図５の例では、横方向の横断通し目地３Ｙのみが形成されることとしたが、この横断通し目地３Ｙに加え、或いは、横断通し目地３Ｙの換わりに、縦方向の横断通し目地を設けることとしてもよい。
【００５５】
さらに、以上の実施例では、図４（Ａ）〜（Ｃ）を参照し、上下に隣り合う壁パネル１Ａ，１Ｃの横方向（左右方向）の相対的な位置ズレが生じる場合において、本発明を説明したが、図６（Ａ）〜（Ｃ）に示すように、左右に隣り合う壁パネル１Ａ，１Ｂの縦方向（上下方向）の相対的な位置ズレが生じる場合においても同様に、本発明を実施することができる。つまり、縦方向の接合部Ｓを介して、通し目地３Ｔと非通し目地部分３Ｈの二種類の部位を発現させることができる。
【００５６】
以上の実施例から明らかなように、本発明では以下を特徴とする。
即ち、図３、図４の各図に示すように、
縦方向又は横方向に隣接して設置される方形の壁パネルであって、
壁パネルの表面に形成される縦方向又は横方向の目地は、
隣接する壁パネル同士が規定位置に設置されたとき、及び、所定距離以内で相対的にズレて設置されたときには、壁パネル同士の接合部を跨いで目地の中心線を通す通し目地を形成し、
隣接する一方の壁パネルが他方の壁パネルに対し相対的に一の方向へ所定距離よりも大きくズレて設置されたときには、壁パネル同士の接合部を跨いで目地の中心線を通す通し目地を形成し、
隣接する壁パネル同士が規定位置に設置されたとき、及び、所定距離以内で相対的にズレて設置されたとき、
及び、
隣接する一方の壁パネルが他方の壁パネルに対し相対的に一の方向へ所定距離よりも大きくズレて設置されたとき、のいずれにおいても、壁パネル同士の接合部を跨いで目地の中心線を通さない非通し目地部分３Ｈを形成するように構成され、
接合部Ｓに隣接する目地の幅は、所定距離の２倍以上とする、
壁パネルとする。
【００５７】
これにより、図４（Ｂ）に示すように一方の壁パネル１（Ａ）が所定距離Ｋよりも大きく一の方向（右側）にズレた場合においても、ズレがない場合（図４（Ａ））と同様に、接合部Ｓにおいて通し目地３Ｔと非通し目地部分３Ｈの二種類の部位を複数個所に発現させることができ、接合部Ｓを目立ち難くすることができる。
【００５８】
また、図３、図４の各図に示すように、
縦方向又は横方向に隣接して設置される方形の壁パネルであって、
壁パネルの表面に形成される縦方向又は横方向の目地は、
隣接する壁パネル同士が規定位置に設置されたとき、及び、所定距離以内で相対的にズレて設置されたときには、壁パネル同士の接合部を跨いで目地の中心線を通す通し目地を形成し、
隣接する一方の壁パネルが他方の壁パネルに対し相対的に一の方向へ所定距離よりも大きくズレて設置されたときには、壁パネル同士の接合部を跨いで目地の中心線を通す通し目地を形成し、
隣接する壁パネル同士が規定位置から他の方向へ所定距離よりも大きくズレて設置されたときには、壁パネル同士の接合部を跨いで目地の中心線を通す通し目地を形成し、
隣接する壁パネル同士が規定位置に設置されたとき、及び、所定距離以内で相対的にズレて設置されたとき、
及び、隣接する一方の壁パネルが他方の壁パネルに対し相対的に一の方向へ所定距離よりも大きくズレて設置されたとき、
及び、
隣接する一方の壁パネルが他方の壁パネルに対し相対的に他の方向へ所定距離よりも大きくズレて設置されたとき、
のいずれにおいても、壁パネル同士の接合部を跨いで目地の中心線を通さない非通し目地部分３Ｈを形成するように構成され、
接合部Ｓに隣接する目地の幅は、所定距離の２倍以上とする、
壁パネルとする。
【００５９】
これにより、図４（Ｂ）（Ｃ）に示すように、一方の壁パネル１（Ａ）が所定距離Ｋよりも大きく一の方向（右側）、或いは、他の方向（左方向）のいずれの方向にズレた場合においても、ズレがない場合（図４（Ａ））と同様に、接合部Ｓにおいて通し目地３Ｔと非通し目地部分３Ｈの二種類の部位を複数個所に発現させることができ、接合部Ｓを目立ち難くすることができる。
【００６０】
また、図４（Ａ）に示すように、
壁パネル１Ａの柄模様中において、縦方向、及び／又は、横方向に横断する横断通し目地３Ｙが形成され、
横断通し目地３Ｙの箇所において、横断通し目地３Ｙと直交する通し目地３Ｔと、非通し目地部分３Ｈが形成される、こととする。
【００６１】
これによれば、図４（Ａ）に示すように、接合部Ｓ以外の横断通し目地３Ｙの箇所においても、接合部Ｓと同様に通し目地３Ｔと非通し目地部分３Ｈの二種類の部位を発現させることができる。そして、壁パネル１の柄模様中に接合部Ｓと同様の部位が発現することにより、接合部Ｓへの視線の集中をより効果的に防止できる。
【産業上の利用可能性】
【００６２】
本発明は、住宅などの建物の外装（外壁）や内装（室内壁、通路壁など）を形成するための壁パネルの接合部をより目立ち難くする技術として、幅広く適用可能である。
【符号の説明】
【００６３】
１    壁パネル
３    目地
３ｃ    中心線
３Ｈ    非通し目地部分
３Ｔ    通し目地
３Ｙ    横通し目地
５    凸部
５０ａ    凸表面
５０ｈ    斫り表面
Ｋ    所定距離
Ｓ    接合部
Ｖ    断面
Ｗ    目地幅
Ｚ    ズレ幅Ｚ
【図１】
0006742080.tif 000002
【図２】
0006742080.tif 000003
【図３】
0006742080.tif 000004
【図４】
0006742080.tif 000005
【図５】
0006742080.tif 000006
【図６】
0006742080.tif 000007